(57)【特許請求の範囲】
【請求項１】
軸筒の後端開口部より外方に突出して配設した不透明のノック体を、待機位置から押圧することにより、軸筒内にコイルスプリングにより軸筒後端方向へ付勢して摺動自在に配置した筆記体のペン先部を、軸筒先端開口部より出没可能な出没機構を具備したノック式筆記具において、前記ノック体を弾発部材によって常時、軸筒後端方向に付勢して配設するとともに、前記ノック体に、ノック体の内外を連通する貫通孔を形成し、前記ノック体の前方に、前記貫通孔に向かって伸びる表示体を配設するとともに、前記ペン先部が没入した状態で、前記表示体の後端面が、前記ノック体の貫通孔内又は貫通孔近傍に位置し、前記ペン先が突出した状態で、前記表示体が軸筒先端方向へ移動した状態を維持し、前記ノック体が弾発部材によって、待機位置に復帰することを特徴とするノック式筆記具
【請求項２】
前記出没機構が、軸筒内面に回転カムを前後に摺動案内し回転させるためのカム溝を形成し、前記ノック体の前方に配設した回転カムが、前記ノック体の先端部に形成したカム部よって回転を付与され、摺動及び回転することによって、軸筒内にスプリングにより軸筒後端方向へ付勢して摺動自在に配置した筆記体のペン先部を軸筒先端開口部より出没可能な回転カムからなる出没機構であるとともに、前記ノック体の底部に、前記貫通孔を形成し、前記回転カムの後端部に、前記貫通孔に向かって伸びる軸状の表示体を一体又は連設したことを特徴とする請求項１に記載のノック式筆記具
【請求項３】
前記表示体の後端面が、前記回転カムの後端部に形成した鋸歯状の歯部が、待機位置から前記ノック体の先端部に形成したカム部の底面まで移動する軸方向の長さと略同等距離、前記ノック体の後端面から軸筒先端開口部側に離間して配設したことを特徴とする請求項２に記載のノック式筆記具
【請求項４】
前記表示体が、前記ノック体とは異なる色としたことを特徴とする請求項１ないし３の何れか１項に記載のノック式筆記具
【発明の詳細な説明】
【技術分野】
【０００１】
本発明は、ノック式筆記具に関し、さらに詳しくは、軸筒の後端開口部より外方に突出して配設した不透明のノック体を、待機位置から押圧することにより、軸筒内にスプリングにより軸筒後端方向へ付勢して摺動自在に配置した筆記体のペン先部を、軸筒先端開口部より出没可能な出没機構を具備したノック式筆記具に関する。
【背景技術】
【０００２】
従来から、筆記具用インキを収容したレフィルを、軸筒内にスプリングにより軸筒の後端方向へ付勢して摺動自在に配置し、ノック体を押圧することによりレフィル先端のペン先部を軸筒の先端開口部より出没可能なノック機構を備えたノック式筆記具の構造はよく知られている。
【０００３】
こうしたノック式筆記具において、誤って、ペン先が軸筒の先端開口部から突出した状態で、ノック式筆記具をポケット等に挿着すると、特に筆記具用インキが低粘度である水性インキや２５℃において粘度が３０００ｍＰａ・ｓ以下の油性のインキの場合には、ポケットの布地等をインキで汚してしまうという問題が間々あった。
【０００４】
また近年、筆記具用インキとして、静的には粘度が高く、筆記時にボールの回転等により粘度が低くなる剪断減粘性を有したインキ、いわゆるゲルインキと呼ばれているインキを用いた筆記具が多数提供されており、この剪断減粘性インキを用いたノック式筆記具も提供されている。剪断減粘性インキは、レフィル内に水性インキの時のように中綿状のインキ収蔵体等を用いずに直詰めして収容する。従って、ノック式筆記具として提供した場合、前述したように知らぬ間にペン先部が軸筒の先端開口部より突出して、ペン先部のボールがポケットの布地等に擦られて回転することにより、又は布地等の毛細管引力により、ペン先部に存する剪断減粘性インキの粘度は低下してしまうので布地への染み込みは、著しいものがある。
【０００５】
従って、レフィル内に低粘度インキ又は剪断減粘性インキを収容したノック式筆記具においては、少なくともポケット等に挿着した時には、ペン先部が軸筒の先端開口部から没入するように、特開平１０−２６４５８２号公報「ノック式筆記具」や特開２００１−１０５７８５号公報「ノック式筆記具」のように、セーフティー機構を設けることが行われていた。
【特許文献１】特開平１０−２６４５８２号公報
【特許文献２】特開２００１−１０５７８５号公報
【発明の開示】
【発明が解決しようとする課題】
【０００６】
しかし、こうしたセーフティー機構を設けると、従来のノック機構にさらにセーフティー機構を付加することになり、構造が複雑となり、部品の増加につながり、製造上の問題から低価格品のノック式筆記具に採用するには難しいという問題があった。
【０００７】
そのため、ノック体を押圧してペン先部を軸筒の先端開口部より突出した時に、ペン先部が下向きの状態で、ノック体が軸筒先端方向に移動したままにする。こうすることで、ノック式筆記具をポケット等に挿着しても、ペン先が軸筒の先端開口部から突出した状態をノック体から確認することができる効果を奏する。
【０００８】
しかし、その反面、ノック体を押圧してペン先部を軸筒の先端開口部より突出した時に、ペン先部が下向きの状態で、ノック体が軸筒先端方向に移動したままにすると、筆記時にノック体がガタつき軸筒と衝接し、不快な音を発生する問題がある。こうした問題を解決するため、ノック体をスプリングによって軸筒後端方向に付勢し、ノック体のガタつきを防止しているが、ペン先の出没状態をノック体から確認することはできなかった。
【０００９】
本発明の目的は、本発明者は上記問題を鑑み、ノック式筆記具において、従来のノック機構を踏襲することができ、ポケット等に装着した時に、ペン先部が軸筒の先端開口部より突出しているか判別可能なノック式筆記具を簡単な構造で提供することである。
【課題を解決するための手段】
【００１０】
本発明は、軸筒の後端開口部より外方に突出して配設した不透明のノック体を、待機位置から押圧することにより、軸筒内にコイルスプリングにより軸筒後端方向へ付勢して摺動自在に配置した筆記体のペン先部を、軸筒先端開口部より出没可能な出没機構を具備したノック式筆記具において、前記ノック体を弾発部材によって常時、軸筒後端方向に付勢して配設するとともに、前記ノック体に、ノック体の内外を連通する貫通孔を形成し、前記ノック体の前方に、前記貫通孔に向かって伸びる表示体を配設するとともに、前記ペン先部が没入した状態で、前記表示体の後端面が、前記ノック体の貫通孔内又は貫通孔近傍に位置し、前記ペン先が突出した状態で、前記表示体が軸筒先端方向へ移動した状態を維持し、前記ノック体が弾発部材によって、待機位置に復帰することを特徴とする。
【００１１】
また、前記出没機構が、軸筒内面に回転カムを前後に摺動案内し回転させるためのカム溝を形成し、前記ノック体の前方に配設した回転カムが、前記ノック体の先端部に形成したカム部よって回転を付与され、摺動及び回転することによって、軸筒内にスプリングにより軸筒後端方向へ付勢して摺動自在に配置した筆記体のペン先部を軸筒先端開口部より出没可能な回転カムからなる出没機構であるとともに、前記ノック体の底部に、前記貫通孔を形成し、前記回転カムの後端部に、前記貫通孔に向かって伸びる軸状の表示部を一体又は連設したことを特徴とする。
【００１２】
また、前記軸部の後端面が、前記回転カムの後端部に形成した鋸歯状の歯部が、待機位置から前記ノック体の先端部に形成したカム部の底面まで移動する軸方向の長さと略同等距離、前記ノック体の後端面から軸筒先端開口部側に離間して配設したことを特徴とする。
【００１３】
更にまた、前記軸部が、前記ノック体とは異なる色としたことを特徴とする。
【発明の効果】
【００１４】
ノック式筆記具において、従来のノック機構を踏襲することができ、ポケット等に装着した時に、ペン先部が軸筒の先端開口部より突出しているか判別可能なノック式筆記具を簡単な構造で提供することができた。
【発明を実施するための最良の形態】
【００１５】
次に図面を参照しながら、本発明のノック式筆記具の実施例を説明するが、本発明は以下の実施例に限定されるものではない。
【００１６】  実施例１  図１から図７に示す本発明のノック式筆記具１は、前軸２と後軸３とを連結具５を介して軸筒本体を構成し、後軸３内に赤色の回転カム９と、後軸３の後端部の内壁面に回転カム９を前後に摺動案内し回転させるためのカム溝Ｋを形成し、このカム溝Ｋに、回転カム９に形成した凸部を係合して配設してある。回転カム９の後端には、回転カムを摺動し回転を付与するためのカム部１０ｂを先端に有した、黒色で不透明のノック体１０を、後軸３の後端より外方に突出した状態に配設した構造である。また、回転カム９の段部とノック体１０の段部間にはコイルスプリングからなる弾発部材１２を配設し、ノック体１０を常時、後軸３の後端方向に付勢して配設してある。【００１７】
更にまた、回転カム９の前方には、筆記具用インキ（図示せず）を収容したインキ収容管１４の先端部にボールペンチップ１６を、チップホルダー１５を介して装着し、後端  部に尾栓１７を装着した筆記具用レフィルをコイルスプリング１１により後軸３の後端方向へ付勢して、摺動自在に配設してある。また、前軸２の把持部にはグリップ部材６を配設し、グリップ部材６と連結具５間には中間リング７、後軸３の先端部には外装部材８、後軸３の後端部にはクリップ部材１３を付設してある。
【００１８】  回転カム９による出没機構は、ノック体１０の先端部において外周に沿って均一角度間隔（６０°）で形成された鋸歯状のカム部１０ｂと、回転カム９の段部において外周に沿って均一角度間隔（６０°）で形成された鋸歯状の歯部９ｃとを有している。カム部１０ｂと歯部９ｃは互いに噛合可能であり、ノック体１０と回転カム９の接近時に、個々のカム部１０ｂと歯部９ｃが備える傾斜面が摺接して所定方向に回転カム９を回転（図６（Ｂ）の矢印Ｒ方向）させる。【００１９】
また、回転カム９の外周面において均一の角度間隔（１２０°）で形成された前後方向に沿った凸部９ｂと、図７に示すように、後軸３の内壁面において均一の角度間隔（１２０°）で形成された前後方向に沿った浅溝Ｋ１と深溝Ｋ２からなるカム溝Ｋとを有している。回転カム９の外周面に形成された凸部９ｂは、軸心方向に沿ったレール状であり、その後端部には傾斜面が形成されている。カム溝Ｋも、その前端部が鋸歯状に形成されている。
【００２０】
なお、回転カム９が待機位置（ノック作動中以外）の場合、カム溝Ｋの浅溝Ｋ１に凸部９ｂが位置する場合と、カム溝Ｋの深溝Ｋ２に凸部９ｂが位置する場合のいずれの場合も、カム部１０ｂと歯部９ｃは図６（Ａ）に示すように完全に噛み合わず、回転カム９が反時計回り方向に幾分ずれた位置で、歯部９ｃがカム部１０ｂの底面から離間（Ｎ）（実施例ではカム斜面の高さの１／２）するように設定されている。
【００２１】
ノック式筆記具１を使用するには、ノック体１０の底部を押圧して回転カム９をカム溝に沿って前進させ、ノック体１０のカム部１０ｂの作用により回転カム９を回転（図４の矢印Ｒ方向）させて、ボールペンチップ１６を口金４の先端開口部４ａより突出させて使用することができる。さらにノック体１０を押圧すると、ノック体１０のカム部１０ｂの作用により回転カム９をさらに回転させ、コイルスプリング１１の付勢力によって回転カム９をカム溝に沿って後退させ、ボールペンチップ１６を没入することができる。
【００２２】
具体的には、ボールペンチップ１６が没入した状態（回転カム９が後方に位置する状態）でノック体１０を押圧すると、ノック体１０に連動して回転カム９は、口金４の先端開口部４ａ方向に移動する。この時、回転カム９の凸部９ｂの後端部がカム溝Ｋの先端よりも前方に達する（図７−３）と、回転カム９はその回転を規制するものがなくなり、回転カム９がコイルスプリング１１により後方に押圧されていることから、カム部１０ｂと歯部９ｃのズレを解消する方向（図４の矢印Ｒ方向）に回転し、図６の（Ｂ）のように、回転カム９の歯部９ｃがカム部１０ｂの底面に移動（図４の矢印Ｆ方向）する。
【００２３】
その後、凸部９ｂは、カム溝Ｋに沿って浅溝Ｋ１まで滑動する。さらに、ノック体１０の押圧力を解除すると、コイルスプリング１１によって、さらに浅溝Ｋ１の傾斜面に沿って滑動し、浅溝Ｋ１の底部に達する。これによって、ボールペンチップ１６が口金４の先端開口部４ａから突出した状態を維持する。なお、ノック体１０は、弾発部材１２の付勢力によって、元の位置に復帰する。
【００２４】
次に、ボールペンチップ１６が突出した状態でノック体１０を押圧すると、ノック体１０に連動して回転カム９は、口金４の先端開口部４ａ方向に移動する。この時、凸部９ｂの後端部が浅溝Ｋ１の先端よりも前方に達する（図７−７）と、回転カム９はその回転を規制するものがなくなり、回転カム９がコイルスプリング１１により後方に押圧されていることから、カム部１０ｂと歯部９ｃのズレを解消する方向に回転し、歯部９ｃがカム部１０ｂの底面に移動する。その後、凸部９ｂは、カム溝Ｋに沿って滑動し、ノック体１０の押圧力を解除すると、コイルスプリング１１の付勢力によって、深溝Ｋ２に侵入する。これによって、ボールペンチップ１６を口金４の先端開口部４ａから没入させ、元の状態に切り替えられる。
【００２５】
このように、カム溝の浅溝Ｋ１に、回転カム９の凸部９ｂの後端部が嵌合することで回転カム９及びボールペンチップ１６を突出させ使用位置に保持し、カム溝の深溝Ｋ２に凸部９ｂを侵入させることでボールペンチップ１６が口金４の先端開口部４ａから没入する。このようにして、回転カム９による出没機構はボールペンチップ１６を使用位置と待避位置とに切り替える。
【００２６】  また、ノック体１０の底部に、ノック体１０の内外を連通するφ１．５ｍｍの貫通孔１０ａを形成し、回転カム９の後端部に、貫通孔１０ａに向かって伸びる、ノック体１０とは異なる色の軸部９ａを形成することによって、図１、図３に示すように、ボールペンチップ１６が没入した状態で、貫通孔１０ａから軸部９ａの後端面（赤色）が視認可能となる。また、ボールペンチップ１６が突出した状態では、図２、図４に示すように、回転カム９は前方に位置し、ノック体１０は弾発部材１２の付勢力によって、元の位置に戻るため、ノック体１０の底部と軸部９ａの後端面が離間（ＬからＭ）するため、不透明のノック体１０内に軸部９ａが潜り込み、光を受け難くなるため、貫通孔１０ａから軸部９ａを視認できなく、或いは視認し難くなるため（黒色）、貫通孔１０ａが軸部９ａの赤色から黒色に変化して見えることで、ボールペンチップ１６の出没状態を確認することができる。【００２７】
ところで、軸部９ａの後端面が、ノック体の貫通孔内又は貫通孔近傍に位置することで、ボールペンチップ１６が没入した状態で、貫通孔１０ａから軸部９ａを視認することができるが、より視認し易くするためには、軸部９ａの後端面をノック体１０の外壁面にできるだけ近い位置、例えば、ノック体１０の後端面と略面一や、ノック体１０の後端面より外方に突出して配設することが好ましいが、回転カム９の出没機構の場合には、前述の通り、軸部９ａはノック体１０の押圧時に、カム部１０ｂと歯部９ｃのズレを解消する方向に回転し、歯部９ｃがカム部１０ｂの底面に移動する時に連動して軸筒後端方向に移動するため、軸部９ａの後端面が、歯部９ｃがカム部１０ｂの底面に移動する長さ（Ｎ）と略同等距離、ノック体１０の後端面から口金４の先端開口部４ａ側に離間して配設する（Ｌ＝Ｎ）ことによって、軸部９ａの後端面が、貫通孔１０ａから外方へ突出することがなく、ノック体１０の操作時に、指に軸部９ａが接触しないため好ましい。
【００２８】
また、ボールペンチップ１６が没入した状態で、軸部９ａの後端面が、貫通孔１０ａ内に位置することによって、ノック体１０のガタツキを弾発部材１２のみならず、軸部９ａによっても防止できるので好ましい。
【００２９】
尚、貫通孔の大きさは特に限定されるものではないが、孔径が大きく過ぎると、ペン先が突出した状態であっても軸部を容易に視認できてしまう恐れがあり、孔径が小さいとペン先部が没入した状態で、軸部を視認し難くなるため、孔径は、０．５ｍｍ〜３．０ｍｍ、好ましくは１．０ｍｍ〜２．０ｍｍとすることが好ましい。また、貫通孔の形成位置はノック体であれば特に限定されないが、ノック体の後端面にすることによって、ポケットに装着した時に視認し易いので、最も好ましい。
【００３０】
また、軸部の色及びノック体の色は、ペン先が突出した状態で、貫通孔を外部から黒色と視認するため、黒色以外であれば、同色であってもよいが、軸部の後端面とノック体を異なる色で形成することによって、使用者の興味を引きつけるとともに、視覚的に判断しやすいので好ましい。また、黒色と反対色や、彩度の高い色、白色や銀色等が好ましい。
【００３１】
また、ノック体として用いる材料は、ポリプロピレン、ポリエチレンテレフタレート、ポリカーボネート、ポリスチレン、アクリル樹脂、ＡＳ樹脂、ＡＢＳ樹脂等の樹脂材料や金属等、不透明であれば特に限定されるものではない。
【００３２】
また、実施例では、回転カムの後端部に軸部を一体に形成してあるが、回転カムの後端部、軸部を連設する等、ノック体の前方に、貫通孔に向かって伸びる表示体を配設してあればよい。更にまた、実施例では、軸部を後方に向かって縮径する傾斜状に形成してあるが、貫通孔内に位置する部分の外径を、貫通孔径よりも小さくしてあれば、直棒状、階段状等、形状は特に限定されない。
【００３３】
また、クリップ部材を付設した筆記具は、ポケット等にクリップ部材を挟持した時に外部にはノック体しか露出していないため、本願発明の効果は、特に顕著である。更にまた、実施例では、便宜上、回転カムによる出没機構を具備しているが、ノック機構は特に限定される使用することができるが、操作性や耐久性等、回転カムによる出没機構を用いることが最も好ましい。
【産業上の利用可能性】
【００３４】
本発明のノック式筆記具は、従来のノック機構を踏襲することができるので、低価格品にも用いるころができる。また、インキやペン先の種類に限定されるものではないので、ノック式筆記具として広く利用可能である。
【図面の簡単な説明】
【００３５】
【図１】実施例１のノック式筆記具を示す、縦断面図である。
【図２】図１におけるボールペンチップが突出した状態を示す、縦断面図である。
【図３】図１における一部省略した要部拡大図である。
【図４】図２における一部省略した要部拡大図である。
【図５】ノック体の後端部方向から見た外観図である。
【図６】ノック体と回転カムとの関係を示す図である。
【図７】カム溝と回転カムの突部との関係を示す図である。
【符号の説明】
【００３６】  １  ノック式筆記具  ２  前軸  ３  後軸  ４  口金  ４ａ  先端開口部  ５  連結具  ６  グリップ部材  ７  中間リング  ８  外装部材  ９  回転カム  ９ａ  軸部  ９ｂ  凸部  ９ｃ  歯部  １０  ノック体  １０ａ  貫通孔  １０ｂ  カム部  １１  コイルスプリング  １２  弾発部材  １６  ボールペンチップ
【図１】
0004906625.tif 000002
【図２】
0004906625.tif 000003
【図３】
0004906625.tif 000004
【図４】
0004906625.tif 000005
【図５】
0004906625.tif 000006
【図６】
0004906625.tif 000007
【図７】
0004906625.tif 000008